(57)【要約】      （修正有）【課題】保管や運搬に有利であり、また、強固の支持強度を有し、棚同士を結合することにより大型棚が形成される、折畳んで保管可能の棚を提供する。【解決手段】それぞれ上下に位置する上座１４と下座１２と、上座と下座との間に結合される裏枠組み１６とが含有され、上記裏枠組みの中央に、旋回可能の関節があり、これにより、上記上座と下座は、畳み合う位置と展開する位置との間に移動でき、上記棚は、更に、左右に位置する一対の側枠組み１８，２０があり、各側枠組みの下端が、旋回可能に、下座に結合され、また、各側枠組みの上端が、分離可能に上座に結合され、そのため、各側枠組みが、下座に対して旋回でき、これにより、畳み合うことと展開することができる。また、裏枠組みは、定位装置があり、該定位装置により、裏枠組みは、展開された後、固定される。【選択図】図１
0003161359.tif 000002
【実用新案登録請求の範囲】
【請求項１】
後端と前端及び上記後端と上記前端との間に伸びる第一側辺と第二側辺を有する下座と、
相対的に、上記下座の上方に位置し、後端と前端及び上記後端と上記前端との間に伸びる第一側辺と第二側辺を有する上座と、
上記下座と上記上座との間に結合され、中央において、互いに枢着されて旋回可能の上支持棒と下支持棒を有し、上記上支持棒に、第一端と第二端があり、上記上支持棒の第一端と第二端が、それぞれ、上記上座の後端の両側に枢着され、上記下支持棒に、第一端と第二端があり、上記下支持棒の第一端と第二端が、それぞれ、上記下座の後端の両側に枢着される裏枠組みと、
上記下座と上記上座との間に位置し、上端と下端があり、上記下端が、転動可能に、上記下座の第一側辺に結合され、また、上記上端が、取り外すことができるように上記上座の第一側辺に結合される第一側枠組みと、
上記下座と上記上座との間に位置し、上端と下端があり、上記下端が、転動可能に、上記下座の第二側辺に結合され、また、上記上端が、取り外すことができるように上記上座の第二側辺に結合される第二側枠組みと、
が含有される、
ことを特徴とする折畳んで保管可能の棚。
【請求項２】
上記裏枠組みの上支持棒に、更に、上記上支持棒の第一端と第二端との間に位置する上旋回継ぎ手があり、上記裏枠組みの下支持棒に、更に、上記下支持棒第一端と第二端との間に位置する下旋回継ぎ手があり、上記上支持棒の上旋回継ぎ手と上記下支持棒の下旋回継ぎ手とが、ピンロッドによって連接され、上記上支持棒と上記下支持棒とが、上記ピンロッドを軸として旋回できることを特徴とする請求項１に記載の折畳んで保管可能の棚。
【請求項３】
上記裏枠組みに、更に、定位装置があり、上記定位装置に、連接棒とバネ及ハンドルとがあり、上記連接棒の奥端が、上記上旋回継ぎ手に設置された貫通孔を通して分離可能に上記下旋回継ぎ手に形成される凹槽に挿入され、上記バネにより、上記連接棒の奥端に対して、上記凹槽方向へバイアスが印加され、上記ハンドルが、ユーザーが、上記連接棒を操作して変位させるために、上記連接棒の外端に結合され、上記連接棒の奥端が、上記凹槽から脱離すると、上記上支持棒と上記下支持棒とが旋回可能になり；上記連接棒の奥端が、上記凹槽に結合される時、上記上支持棒と上記下支持棒とが結合されて定位されることを特徴とする請求項２に記載の折畳んで保管可能の棚。
【請求項４】
上記下座に、下座本体と二つの第一継ぎ手及び二つの第二継ぎ手があり、上記下座本体が、四角形の板体で、上記二つの第一継ぎ手と上記二つの第二継ぎ手とが、上記下座板体の四隅に結合され、上記上座に、上座本体と二つの上記第一継ぎ手と二つの上記第二継ぎ手があり、上記上座本体が、四角形の板体で、上記二つの第一継ぎ手と上記二つの第二継ぎ手が、上記上座板体の四隅に結合されることを特徴とする請求項２に記載の折畳んで保管可能の棚。
【請求項５】
各第一継ぎ手と各第二継ぎ手に、上部と下部及び上部と下部との間に位置する中間部があり、上記中間部の内側に、結合槽があり、上記板体の後端が、二つの第一継ぎ手の結合槽に固定され、上記板体の前端が、二つの第二継ぎ手の結合槽に固定されることを特徴とする請求項４に記載の折畳んで保管可能の棚。
【請求項６】
上記上部に、第一枢着部と第二枢着部とがあり、上記下部に、第三枢着部と連接部があり、上記裏枠組みの下支持棒の第一端と第二端が、それぞれ、上記下座の二つの第一継ぎ手の第一枢着部に枢着され、また、上記裏枠組みの上支持棒の第一端と第二端が、それぞれ、上座の二つの第一継ぎ手の第三枢着部に枢着され、これにより、上記上支持棒と上記下支持棒とが、上記下座に対して旋回できることを特徴とする請求項５に記載の折畳んで保管可能の棚。
【請求項７】
上記第一側枠組みと第二側枠組みに、それぞれ、上棒と上記上棒の両端から下へ伸びる二つの側棒があり、上記上棒が、上記第一側枠組みと第二側枠組みの上端に位置し、各側棒が、上記第一側枠組みと第二側枠組みの下端に位置し、上記第一側枠組みの下端が、上記下座の第一側辺の第一継ぎ手と第二継ぎ手の第二枢着部に枢着されるため、上記下座に対して旋回でき、第二側枠組みの下端が、上記下座の第二側辺の第一継ぎ手と第二継ぎ手の第二枢着部に枢着されるため、上記下座に対して旋回できることを特徴とする請求項６に記載の折畳んで保管可能の棚。
【請求項８】
上記第一側枠組みの上端が、分離可能に上記上座の第一側辺の第一継ぎ手と第二継ぎ手の連接部に結合され、上記第二側枠組みの上端が、分離可能に上記上座の第二側辺の第一継ぎ手と第二継ぎ手の連接部に結合されることを特徴とする請求項７に記載の折畳んで保管可能の棚。
【請求項９】
上記第二側枠組みの下端に、それぞれ、延伸部があり、また、上記第二側枠組みの下端が、枢着ピンを上記延伸部に通すことにより、第一継ぎ手と第二継ぎ手に枢着されることを特徴とする請求項８に記載の折畳んで保管可能の棚。
【請求項１０】
各第一継ぎ手と各第二継ぎ手に、更に外側表面があり、上記複数の外側表面に、それぞれ、係止槽と上記係止槽に結合する係止ブロックがあり、二つの隣り合う上記下座の外側表面が、上記係止槽と係止ブロックとにより結合され、また、二つの隣り合う上記上座の外側表面が、上記係止槽と係止ブロックとにより結合されることを特徴とする請求項４に記載の折畳んで保管可能の棚。
【考案の詳細な説明】
【技術分野】
【０００１】
本考案は、棚に関し、特に、体積を縮小して保管可能でありながら、展開が簡単である折畳んで保管可能の棚に関する。
【背景技術】
【０００２】
棚（や展示棚）を利用することにより、平面から立体に、空間が広がれ、特に、隅の空間が十分に利用でき、また、全ての空間に適用できる。しかしながら、従来の棚は、折畳むことにより、体積を縮小する機能がないため、保管や運搬の時、一般として、ツールで、枠組みと層板を分解することが必要とし、時間的にも、人力的にも、厄介なことになり、また、市販の棚は、一般として、枠組みや層板及び継ぎ手を、分解することにより、運搬する時の体積を縮小し、消費者が、それを購入してから、ツールで組立て、そして、組立てにも、厄介なことになる。また、従来の棚は、棚同士を結合することにより、大型棚を形成することができない。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、畳んで体積を縮小して保管可能の功能を有するため、保管や運搬に有利であり、また、強固の支持強度を有し、棚同士を結合することにより、大型棚が形成される折畳んで保管可能の棚を提供する。
【課題を解決するための手段】
【０００５】
請求項１の考案は、後端と前端及び上記後端と上記前端との間に伸びる第一側辺と第二側辺を有する下座と、相対的に、上記下座の上方に位置し、後端と前端及び上記後端と上記前端との間に伸びる第一側辺と第二側辺を有する上座と、上記下座と上記上座との間に結合され、中央において、互いに枢着されて旋回可能の上支持棒と下支持棒を有し、上記上支持棒に、第一端と第二端があり、上記上支持棒の第一端と第二端が、それぞれ、上記上座の後端の両側に枢着され、上記下支持棒に、第一端と第二端があり、上記下支持棒の第一端と第二端が、それぞれ、上記下座の後端の両側に枢着される裏枠組みと、上記下座と上記上座との間に位置し、上端と下端があり、上記下端が、転動可能に、上記下座の第一側辺に結合され、また、上記上端が、取り外すことができるように上記上座の第一側辺に結合される第一側枠組みと、上記下座と上記上座との間に位置し、上端と下端があり、上記下端が、転動可能に、上記下座の第二側辺に結合され、また、上記上端が、取り外すことができるように上記上座の第二側辺に結合される第二側枠組みと、が含有される、ことを特徴とする折畳んで保管可能の棚である。
【０００６】
請求項２の考案は、上記裏枠組みの上支持棒に、更に、上記上支持棒の第一端と第二端との間に位置する上旋回継ぎ手があり、上記裏枠組みの下支持棒に、更に、上記下支持棒第一端と第二端との間に位置する下旋回継ぎ手があり、上記上支持棒の上旋回継ぎ手と上記下支持棒の下旋回継ぎ手とが、ピンロッドによって連接され、上記上支持棒と上記下支持棒とが、上記ピンロッドを軸として旋回できることを特徴とする請求項１に記載の折畳んで保管可能の棚である。
【０００７】
請求項３の考案は、上記裏枠組みに、更に、定位装置があり、上記定位装置に、連接棒とバネ及ハンドルとがあり、上記連接棒の奥端が、上記上旋回継ぎ手に設置された貫通孔を通して分離可能に上記下旋回継ぎ手に形成される凹槽に挿入され、上記バネにより、上記連接棒の奥端に対して、上記凹槽方向へバイアスが印加され、上記ハンドルが、ユーザーが、上記連接棒を操作して変位させるために、上記連接棒の外端に結合され、上記連接棒の奥端が、上記凹槽から脱離すると、上記上支持棒と上記下支持棒とが旋回可能になり；上記連接棒の奥端が、上記凹槽に結合される時、上記上支持棒と上記下支持棒とが結合されて定位されることを特徴とする請求項２に記載の折畳んで保管可能の棚である。
【０００８】
請求項４の考案は、上記下座に、下座本体と二つの第一継ぎ手及び二つの第二継ぎ手があり、上記下座本体が、四角形の板体で、上記二つの第一継ぎ手と上記二つの第二継ぎ手とが、上記下座板体の四隅に結合され、上記上座に、上座本体と二つの上記第一継ぎ手と二つの上記第二継ぎ手があり、上記上座本体が、四角形の板体で、上記二つの第一継ぎ手と上記二つの第二継ぎ手が、上記上座板体の四隅に結合されることを特徴とする請求項２に記載の折畳んで保管可能の棚である。
【０００９】
請求項５の考案は、各第一継ぎ手と各第二継ぎ手に、上部と下部及び上部と下部との間に位置する中間部があり、上記中間部の内側に、結合槽があり、上記板体の後端が、二つの第一継ぎ手の結合槽に固定され、上記板体の前端が、二つの第二継ぎ手の結合槽に固定されることを特徴とする請求項４に記載の折畳んで保管可能の棚である。
【００１０】
請求項６の考案は、上記上部に、第一枢着部と第二枢着部とがあり、上記下部に、第三枢着部と連接部があり、上記裏枠組みの下支持棒の第一端と第二端が、それぞれ、上記下座の二つの第一継ぎ手の第一枢着部に枢着され、また、上記裏枠組みの上支持棒の第一端と第二端が、それぞれ、上座の二つの第一継ぎ手の第三枢着部に枢着され、これにより、上記上支持棒と上記下支持棒とが、上記下座に対して旋回できることを特徴とする請求項５に記載の折畳んで保管可能の棚である。
【００１１】
請求項７の考案は、上記第一側枠組みと第二側枠組みに、それぞれ、上棒と上記上棒の両端から下へ伸びる二つの側棒があり、上記上棒が、上記第一側枠組みと第二側枠組みの上端に位置し、各側棒が、上記第一側枠組みと第二側枠組みの下端に位置し、上記第一側枠組みの下端が、上記下座の第一側辺の第一継ぎ手と第二継ぎ手の第二枢着部に枢着されるため、上記下座に対して旋回でき、第二側枠組みの下端が、上記下座の第二側辺の第一継ぎ手と第二継ぎ手の第二枢着部に枢着されるため、上記下座に対して旋回できることを特徴とする請求項６に記載の折畳んで保管可能の棚である。
【００１２】
請求項８の考案は、上記第一側枠組みの上端が、分離可能に上記上座の第一側辺の第一継ぎ手と第二継ぎ手の連接部に結合され、上記第二側枠組みの上端が、分離可能に上記上座の第二側辺の第一継ぎ手と第二継ぎ手の連接部に結合されることを特徴とする請求項７に記載の折畳んで保管可能の棚である。
【００１３】
請求項９の考案は、上記第二側枠組みの下端に、それぞれ、延伸部があり、また、上記第二側枠組みの下端が、枢着ピンを上記延伸部に通すことにより、第一継ぎ手と第二継ぎ手に枢着されることを特徴とする請求項８に記載の折畳んで保管可能の棚である。
【００１４】
請求項１０の考案は、各第一継ぎ手と各第二継ぎ手に、更に外側表面があり、上記複数の外側表面に、それぞれ、係止槽と上記係止槽に結合する係止ブロックがあり、二つの隣り合う上記下座の外側表面が、上記係止槽と係止ブロックとにより結合され、また、二つの隣り合う上記上座の外側表面が、上記係止槽と係止ブロックとにより結合されることを特徴とする請求項４に記載の折畳んで保管可能の棚である。
【００１５】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１６】
本考案は、異なる態様によって実行されることができる。以下、図面を参照しながら、実施例を挙げて、本考案のより良い構造を詳しく説明する。
【００１７】
図１乃至図１１は、本考案のより良い実施例の棚１０であり、上記棚１０は、下座１２と、下座１２の上方に位置する上座１４と、下座１２と上座１４との間に結合される裏枠組み１６と、第一側枠組み１８と、第二側枠組み２０と、が含有される。
【００１８】
上記下座１２には、下座本体２２があり、本実施例において、上記下座本体２２は、四角形の板体２４と、板体２４の下方に位置して上記板体２４を支持する枠体２６とがある。上記板体２４は、木材やプラスチック或いは金属材料からなり、品物を載せることに利用され、また、上記板体２４には、後端２８と、前端３０と、二つの側辺３１とがある。上記枠体２６は、金属材料からなるのが好ましく、より高い支持強度が得られる。他の実施例において、上記下座本体２２は、板体やフレームから構成される。上記下座１２は、更に、二つの第一継ぎ手（後継ぎ手）３２と二つの第二継ぎ手（前継ぎ手）３４とが、含有され、各第一継ぎ手３２と各第二継ぎ手３４は、それぞれ、上部３６と、下部３８と、上部３６と下部３８との間に位置する中間部４０（図３と図４を参照する）と、が含有され、上記中間部４０は、内側に、上記下座本体２２の一隅が結合されるための結合槽４２が形成される。本実施例において、上記板体２４は、後端２８の二隅が、二つの第一継ぎ手３２の結合槽４２に結合されて、例えば、ネジである連接部材によって固定され（図２と図３のように）、板体の前端３０の二隅が、二つの第二継ぎ手３４の結合槽４２に結合され、例えば、ネジである連接部材によって固定され（図２と図４を参照する）、そのため、上記下座本体２２の四角が、それぞれ、二つの第一継ぎ手３２と二つの第二継ぎ手３４との間に結合される。上記上部３６には、第一枢着部４４と第二枢着部４６とが設置され、本実施例において、第一枢着部４４と第二枢着部４６は、それぞれ、凹槽である。上記下部３８には、第三枢着部４８と連接部５０とが設置され、本実施例において、第三枢着部４８が、凹槽であり、連接部５０が、凹部である。また、各第一継ぎ手３２と各第二継ぎ手３４とは、それぞれ、外側表面５２が含有され、その中、第一継ぎ手３２の外側表面５２に、係止槽５４があり、本実施例において、上記係止槽５４は、断面が、約鳩尾状のほぞであり、もう一つの第一継ぎ手３２の外側表面５２に、係止ブロック５６が形成され、本実施例において、上記係止ブロック５６は、係止槽５４に対応し、係止して結合される突出部である。上記二つの第二継ぎ手３４の外側表面５２は、それぞれ、係止槽５４と係止ブロック５６とが含有される。
【００１９】
上記上座１４は、上座本体５８があり、本実施例において、上座本体５８は、四角形の板体６０と、板体６０の下方に位置し、上記板体６０を支持する枠体６２とが、含有される。板体６０は、同じように、木材やプラスチック或いは金属材料からなり、また、板体６０が、後端６４と前端６６及び二つの側辺６７に区分される。枠体６２は、金属材料からなる。上記上座１４は、更に、二つの第一継ぎ手（後継ぎ手）３２と二つの第二継ぎ手（前継ぎ手）３４とがあり、上記上座１４の第一継ぎ手３２と第二継ぎ手３４は、構造が、下座１２の第一継ぎ手３２と第二継ぎ手３４の構造と、ほぼ同じであり、ここで、説明を省略する。
【００２０】
上記裏枠組み１６は、上支持棒６８と下支持棒７０とがあり、本実施例において、上記上支持棒６８は、約Ｖ形状で、第一端７２と第二端７４及び上記両端の間に位置する上旋回継ぎ手７６があり、上記上旋回継ぎ手７６は、枢着ブロック８０と、上記枢着ブロック８０の周りから外へ伸びるＶ形状連接部８２があり、上記連接部８２には、それぞれ、二つの棒体が連接されて上支持棒６８を形成するための二つの連接口８４があり、上記上支持棒６８の第一端７２と第二端７４は、それぞれ、上座１４の二つの第一継ぎ手３２の第三枢着部４８に枢着され、そのため、上支持棒６８は、第一端７２と第二端７４を支点として、上座１４に対して旋回できる（図８のように）。上記下支持棒７０は、約逆Ｖ形状であり、第一端８８と第二端９０と上記両端の間に位置する下旋回継ぎ手９２があり、上記下旋回継ぎ手９２は、枢着ブロック９４と、上記枢着ブロック９４の周りから外へ伸びる逆Ｖ形状連接部９６があり、上記連接部９６には、それぞれ、二つの棒体が連接されて下支持棒７０が形成されるための二つの連接口９８があり、上記下支持棒７０の第一端８８と第二端９０は、それぞれ、下座１２の二つの第一継ぎ手３２の第一枢着部４４に枢着され、そのため、下支持棒７０は、第一端８８と第二端９０を支点として、下座１４に対して旋回できる（図８のように）。また、上支持棒６８の枢着ブロック８０と下支持棒７０の枢着ブロック９４とは、ピンロッド１０２により連接され、旋回可能の関節が構成され、これにより、上支持棒６８と下支持棒７０との間において、上記ピンロッド１０２を軸として、旋回できる（図８の矢印１００のように）。
【００２１】
また、上記裏枠組み１６は、更に、定位装置１０４があり、本実施例において、上記定位装置１０４は、連接棒１０６とバネ１０８とハンドル１１０が含有され、上記連接棒１０６は、奥端１１２が、上記上支持棒６８の枢着ブロック８０に形成される貫通孔１１４を通して、分離可能に上記下支持棒７０の枢着ブロック９４に形成された凹槽１１６に挿入され、バネ１０８は、上記貫通孔１１４内に位置し、連接棒１０６の奥端１１２に対して、凹槽１１６方向へバイアスを印加し、これにより、連接棒１０６の奥端１１２が、常に凹槽１１６内に挿入されて結合され、また、ハンドル１１０は、枢着ブロック８０の貫通孔１１４の外側に位置し、連接棒１０６の外端１１８に結合され、ユーザーが、手動で引っ張ることにより、連接棒１０６を凹槽１１６から脱離させることができる。連接棒１０６の奥端１１２が、凹槽１１６から脱離すると（図６のように）、上支持棒６８と下支持棒７０は、ピンロッド１０２を軸として、旋回して変位でき、また、連接棒１０６の奥端１１２が、凹槽１１６内に結合される時（図７のように）、上支持棒６８と下支持棒７０とが結合されて定位され、旋回することができない。
【００２２】
第一側枠組み１８と第二側枠組み２０は、相対的に、下座１２と上座１４との間に設置され、また、それぞれ、上棒１１９と上記上棒１１９の両端から下へ伸びる二つの側棒１２０があり、各側棒１２０は、下端１２２がある。第一側枠組み１８の二つの側棒１２０の下端１２２は、それぞれ、下座１２の側辺３１の第一継ぎ手３２と第二継ぎ手３４の第二枢着部４６に枢着され、そのため、第一側枠組み１８は、二つの下端１２２を支点として、下座１２に対して旋回でき（図９のように）、また、第一側枠組み１８の上棒１１９の両端は、それぞれ、分離可能に上座１４の側辺６７の第一継ぎ手３２と第二継ぎ手３４の連接部５０に結合される。第二側枠組み２０の二つの側棒１２０の下端１２２は、それぞれ、下座１２の側辺３１の第一継ぎ手３２と第二継ぎ手の第二枢着部４６に枢着され、そのため、第二側枠組み２０は、二つの下端１２２を支点として、下座１２に対して旋回でき、第二側枠組み２０の上棒１１９の両端は、それぞれ、分離可能に上座１４の対応側辺６７の第一継ぎ手３２と第二継ぎ手３４の連接部５０に結合される。本実施例において、各側棒１２０の上端と上棒１１９の一端とは、継ぎ手１２４により連接され、また、第一側枠組み１８と第二側枠組み２０の二つの側棒１２０との間に、更に傾斜棒１２６が連接されることにより、強化される。
【００２３】
本実施例において、第一枢着部４４と第二枢着部４６及び第三枢着部４８の凹槽は、それぞれ、内側に位置する開口１２８があり（図３のように）、そのため、裏枠組み１６と第一側枠組み１８及び第二側枠組み２０は、奥へ旋回することだけができ（図８と図９のように）、外へ旋回することは、第一継ぎ手３２と第二継ぎ手３４の抵当板１３０によって禁止される。また、第二側枠組み２０の二つの側棒１２０の下端１２２は、それぞれ、内へ伸びる延伸部１３２があり、また、上記第二側枠組み２０の下端１２２は、枢着ピン１３４を上記延伸部１３２に通すことにより、第一継ぎ手３２と第二継ぎ手３４に枢着され（図１０のように）、これにより、第二側枠組み２０と第一側枠組み１８とは、前後に旋回され畳まれ、互いに干渉することなく、上下に重ね合うことができる（図１１のように）。
【００２４】
以下、上記棚１０の使用操作と効果について説明する。図１を参照しながら、上記裏枠組み１６と第一側枠組み１８及び第二側枠組み２０が、下座１２と上座１４との間に結合されて展開される状態であり、上記棚１０により、品物を載せるフレームが構成され、即ち、下座１２の板体２４と上座１４の板体６０に、品物を載せることができる。図１１を参照しながら、上記裏枠組み１６と第一側枠組み１８及び第二側枠組み２０は、下座１２と上座１４との間に位置するように畳まれて、これにより、上記棚１０は、体積が縮小されることができ、保管や運搬に有利である。上記棚１０が、畳まれて保管される場合、前述のように、まず、第二側枠組み２０の上棒１１９の両端を、連接部５０から分離させた後、下座１２へ畳み合い、そして、第一側枠組み１８の上棒１１９の両端を、連接部５０から分離させた後、下座１２へ畳み合い（図９のように）、その後、定位装置１０４のハンドル１１０を操作して、連接棒１０６の奥端１１２を凹槽１１６から脱離させ、そして、裏枠組み１６の上支持棒６８と下支持棒７０を、下座１２へ旋回させて畳み合わせ（図８のように）、これにより、図１１の完全に畳み合う状態になる。前述のように、上記棚１０の畳み合う操作は、ツールを使用せず、快速的且つ省力的になる。また、上記棚１０を展開する時、逆方向に操作するように、まず、裏枠組み１６の上支持棒６８と下支持棒７０を上へ旋回して展開させた後、第一側枠組み１８と第二側枠組み２０を、前後に直立するように旋回して、各上棒１１９の両端が、連接部５０に結合されるだけで、組立てることは、非常に便利で、また、組立てられた棚１０は、強固の支持強度が得られる。
【００２５】
上記棚１０は、便利的に畳み合うと展開する効果が得られることだけでなく、フレーム同士を結合して、大型棚を形成することが実現される。図１２と図１３を参照しながら、上記棚１０の上座１４は、更に、もう一つの裏枠組み１６と、もう一つの第一側枠組み１８と、もう一つの第二側枠組み２０と、もう一つの上座１４と、が組立てられると、二層の棚が構成され、また、二つの棚１０同士の間において、係止槽５４と係止ブロック５６とを接続することにより、快速的に、二つの棚が合併される。そのため、上記棚１０は、高さや幅及び奥に拡充することができ、また、拡充する時の組立ても簡単である。図１４のように、上記棚１０を拡充することにより、衣服１３６を掛ける箪笥が形成される状態であり、上記箪笥のフレームから、一部の上座本体５８を除去することにより内部の格納空間が広げられ、また、図１２乃至図１４を参照しながら、二つの合併された棚１０同士が、共通する側枠組み２０を利用する状態である。
【００２６】
そのため、本考案は、より進歩的かつより実用的で、法に従って実用新案登録請求を出願する。
【００２７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２８】
【図１】本考案に係る実施例の構成を有する棚の立体図
【図２】図１の棚の素子分解図
【図３】図２の第一継ぎ手の立体図
【図４】図２の第二継ぎ手の立体図
【図５】図２の裏枠組みの部分素子分解図
【図６】図２の裏枠組みの局部断面の概念図
【図７】図６のハンドルを外へ引っ張られた状態の平面図
【図８】図１の裏枠組みの畳み合う動作の概念図
【図９】図１の二つの側枠組みの畳み合う動作の概念図
【図１０】図９の局部拡大図
【図１１】図１の棚を完全に畳み合う状態の平面図
【図１２】図１の棚を擴充する時の実施例の立体図
【図１３】図１２の正面図
【図１４】図１の棚の、衣服が掛けられている他の拡充実施例の立体図
【符号の説明】
【００２９】
１０  棚
１００  矢印
１０２  ピンロッド
１０４  定位装置
１０６  連接棒
１０８  バネ
１１０  ハンドル
１１２  奥端
１１４  貫通孔
１１６  凹槽
１１８  外端
１１９  上棒
１２  下座
１２０  側棒
１２２  下端
１２４  継ぎ手
１２６  傾斜棒
１２８  開口
１３０  抵当板
１３２  延伸部
１３４  枢着ピン
１３６  衣服
１４  上座
１６  裏枠組み
１８  第一側枠組み
２０  第二側枠組み
２２  下座本体
２４  板体
２６  枠体
２８  後端
３０  前端
３１  側辺
３２  第一継ぎ手
３４  第二継ぎ手
３６  上部
３８  下部
４０  中間部
４２  結合槽
４４  第一枢着部
４６  第二枢着部
４８  第三枢着部
５０  連接部
５２  外側表面
５４  係止槽
５６  係止ブロック
５８  上座本体
６０  板体
６２  枠体
６４  後端
６６  前端
６７  側辺
６８  上支持棒
７０  下支持棒
７２  第一端
７４  第二端
７６  上旋回継ぎ手
８０  枢着ブロック
８２  連接部
８４  連接口
８８  第一端
９０  第二端
９２  下旋回継ぎ手
９４  枢着ブロック
９６  連接部
９８  連接口
【図１】
0003161359.tif 000003
【図２】
0003161359.tif 000004
【図３】
0003161359.tif 000005
【図４】
0003161359.tif 000006
【図５】
0003161359.tif 000007
【図６】
0003161359.tif 000008
【図７】
0003161359.tif 000009
【図８】
0003161359.tif 000010
【図９】
0003161359.tif 000011
【図１０】
0003161359.tif 000012
【図１１】
0003161359.tif 000013
【図１２】
0003161359.tif 000014
【図１３】
0003161359.tif 000015
【図１４】
0003161359.tif 000016